(57)【要約】【課題】比較的占有面積の大きい、保留情報表示領域に対して、情報量を増大し、かつ保留表示領域を有効利用することができる。【解決手段】保留分を単純にランプの点灯で遊技者に知らせていた従来の機能に加え、それぞれの保留分の抽選結果の当りの信頼度を図柄変動パターン演出によって行うため、比較的大きな設置スペースを必要としていた保留報知領域での情報量を増やし、有効利用することができる。また、増やした情報量が当／外の信頼度であるため、遊技者のこの信頼度を注意深く見ることになり、期待感を増し、遊技の趣向性を向上することができる。【選択図】        図５
2004154305.tif 000002
【特許請求の範囲】
【請求項１】
始動口への入賞を契機に抽選が実行され、当該抽選の結果を第１の図柄変動パターン演出によって遊技者に報知する図柄変動表示装置を備え、前記抽選が当りの場合に遊技者に有利な遊技状態となり得る遊技機であって、
前記図柄変動表示装置による第１の図柄変動パターン演出実行中に前記始動口への入賞があった場合に、当該始動口への入賞事実を保留する保留手段と、
前記保留手段によって前記入賞事実を保留したことを示す保留情報を遊技者に対して視覚を通じて認識させるための保留情報認識手段と、を有し、
前記保留情報認識手段が、前記保留情報報知に加え、当該入賞事実に対応する抽選結果の当／外予告情報を告知することを特徴とする遊技機。
【請求項２】
前記保留情報認識手段が、前記図柄変動表示装置とは少なくとも別領域とされた保留情報表示装置であり、前記保留手段による保留を契機として、当該保留情報表示装置による第２の図柄変動パターン演出が開始され、かつこの第２の図柄変動パターンによって前記当／外予告情報を告知することを特徴とする請求項１記載の遊技機。
【請求項３】
前記保留情報表示装置が、前記保留手段による保留制限数分の第２の図柄変動パターンを表示可能であり、前記保留手段による保留が解消される毎に、表示位置が順次移行することを特徴とする請求項２記載の遊技機。
【発明の詳細な説明】
【０００１】
【発明の属する技術分野】
本発明は、始動口への入賞を契機に抽選が実行され、当該抽選の結果を第１の図柄変動パターン演出によって遊技者に報知する図柄変動表示装置を備え、前記抽選が当りの場合に遊技者に有利な遊技状態となり得る遊技機に関するものである。
【０００２】
【従来の技術】
従来より、遊技機、特にパチンコ機において、始動口（特別図柄始動入賞口）に入賞したパチンコ球を検出することで抽選がなされ、この抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り）を持つパチンコ機がある。
【０００３】
この種のパチンコ機では、抽選の結果を遊技者に報知する演出として、パチンコ機のゲージ盤の中央に図柄変動表示装置（通常は液晶表示画面）を設置している。この表図柄変動表示装置は、複数の列の図柄変動画面で構成され（背景画面もある）、それぞれがスクロール式に変動する（図柄変動パターン演出）。この図柄変動パターン演出後に、特定の図柄が停止したときの並びで当たり外れを報知するようになっている。遊技者は、この図柄変動パターンを見ることによって、当たりか外れかに一喜一憂するため、期待感を持たせることができる。
【０００４】
ここで、前記図柄変動表示装置による図柄変動パターン演出中に、前記始動口にパチンコ球が入賞すると、この始動口への入賞を契機とした抽選結果を即時に報知することができない。そこで、保留機能を設け、図柄変動パターン中に始動口に入賞した分は保留しておき、かつ、この保留を遊技者に認識させるべく、遊技盤上（一般的には、図柄変動表示装置を含んで構成されたセンター役物上）に保留ランプを設けている。なお、現状では、この保留ランプは４個とされ、これ以上の保留はなされず、始動口への入賞による抽選もキャンセルされるようになっているが、この保留制限数の増減はあり得る。
【０００５】
ところが、この保留ランプは、保留があることを遊技者に視覚を通じて知らせるのみであり、それ以外の機能を持っていない。言い換えれば、センター役物上で相当の設置スペースを占有しているわりには、情報量が少なく、有効利用されていない。
【０００６】
例えば、保留ランプが４個であり、保留可能数が５個以上の場合に、保留ランプの数を増加せず、保留ランプの点灯色を変えることで、情報量を増やすことがなされているが、点灯色の変化のみでは、情報量の増大にはならない。
【０００７】
このため、特許文献１では、可変表示部（図柄変動表示装置）上にキャラクタを登場させ、始動記憶表示器（保留ランプ）の各始動記憶状態に対応して、当該キャラクタの動きに変化をつけることが開示されている。
【０００８】
これにより、可変表示部によるキャラクタの動きによって、保留されている分の始動記憶状態（当／外の状態）を事前に知り得る（所謂ガセも含む）ことで、遊技者に対する期待感、興趣をより一層向上させることができ、遊技状況にアクセントを付けることができる。
【０００９】
【特許文献１】
特許第３１０６０９２号公報
【００１０】
【発明が解決しようとする課題】
しかしながら、上記特許文献１では、始動記憶表示器に表示される保留の中の当り頻度に応じて、キャラクタの出現頻度を決定するのみであり、始動記憶表示器そのものが何らかの変化を持つのではないため、始動記憶表示器そのものに対して期待感があるわけではない。また、結果として、始動記憶表示器は始動記憶したという情報のみの報知であり、占有面積が大きい割りには情報量が少ないという問題点の解消には至っていない。
【００１１】
本発明は上記事実を考慮し、比較的占有面積の大きい、保留情報表示領域に対して、情報量を増大し、かつ保留表示領域を有効利用することができる遊技機を得ることが目的である。
【００１２】
【課題を解決するための手段】
請求項１に記載の発明は、始動口への入賞を契機に抽選が実行され、当該抽選の結果を第１の図柄変動パターン演出によって遊技者に報知する図柄変動表示装置を備え、前記抽選が当りの場合に遊技者に有利な遊技状態となり得る遊技機であって、前記図柄変動表示装置による第１の図柄変動パターン演出実行中に前記始動口への入賞があった場合に、当該始動口への入賞事実を保留する保留手段と、前記保留手段によって前記入賞事実を保留したことを示す保留情報を遊技者に対して視覚を通じて認識させるための保留情報認識手段と、を有し、前記保留情報認識手段が、前記保留情報報知に加え、当該入賞事実に対応する抽選結果の当／外予告情報を告知することを特徴としている。
【００１３】
請求項１記載の発明によれば、保留情報認識手段による保留情報の報知の際、当／外予告情報を同時に告知することで、保留情報認識手段により遊技者に与える情報量を増大させることができる。遊技者は、この保留情報を確認することで、保留事実を確認するのみならず、当該保留に係る入賞事実の抽選結果を予測する情報を得ることができるため、期待感を増大させることができる。
【００１４】
請求項２に記載の発明は、前記請求項１に記載の発明において、前記保留情報認識手段が、前記図柄変動表示装置とは少なくとも別領域とされた保留情報表示装置であり、前記保留手段による保留を契機として、当該保留情報表示装置による第２の図柄変動パターン演出が開始され、かつこの第２の図柄変動パターンによって前記当／外予告情報を告知することを特徴としている。
【００１５】
請求項２に記載の発明によれば、保留手段による保留を契機として、保留情報表示装置を用いて第２の図柄変動パターン演出の開始する。遊技者は、この第２の図柄変動パターン演出が開始されることで、保留があったことを確認することができる。また、この第２の図柄変動パターン演出が、当該保留分の抽選結果の当／外に関連した演出（当／外予告情報）となっているため、遊技者は同時に複数の情報（前記保留情報と、当／外予告情報）を得ることができる。
【００１６】
なお、この保留情報表示装置は、前記図柄変動表示装置と構造的に全く別物であってもよいし、図柄変動表示装置の表示画面の一部を保留情報表示領域として用いるようにしてもよい。
【００１７】
請求項３に記載の発明は、前記請求項２に記載の発明において、前記保留情報表示装置が、前記保留手段による保留制限数分の第２の図柄変動パターンを表示可能であり、前記保留手段による保留が解消される毎に、表示位置が順次移行することを特徴としている。
【００１８】
請求項３に記載の発明によれば、保留手段による保留数は、遊技機によって定められており、通常複数（例えば、４個）の保留が可能である。そこで、各保留に対応して、複数の第２の図柄変動パターンを独立して演出させ、かつ保留が解消される毎に、表示位置を順次移行させる。これにより、それぞれの演出と保留順とを常に把握することができ、例えば、当りの可能性が高い保留分の順番を待つまでの期待感を増すことができる。
【００１９】
【発明の実施の形態】
図１には、本発明の一実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。
【００２０】
内枠１４には、複数の表示等６２、６３やスピーカ６４、６６が設けられている。また、内枠１４の中央には、窓部となっており、この窓部には紙面奥行き方向に所定の間隔で互いに平行とされた一対のガラス１６（二重構造）が装着されたガラス枠２０が設けられている。また、内枠１４の図１の右辺部には施錠装置（シリンダ）２２が設けられている。
【００２１】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００２２】
一体皿２６は、その一側部（図１の左辺部）が内枠１４に対して開閉可能に取付けられている。一体皿２６の前面には、左側下部に灰皿２８が配置され、右側下部には発射装置（図３参照）から発射する打球の飛距離を調整するための発射ハンドル３０が設けられている。
【００２３】
また内枠１４の窓部には、遊技盤載置台に載せて交換可能とされた遊技盤３２が窓部に対応して設置されている。
【００２４】
図２に示される如く、遊技盤３２は、外バンド３６及び内バンド３８によって囲まれた略円形状の遊技領域４０が形成されている。
【００２５】
遊技領域４０には、図示しない釘や風車の他、センター役物４２、当該センター役物４２に設けられた特別図柄表示装置４３、並びに大入賞口（変動入賞装置）４４等の役物、始動口４６や入賞装置（上）４８、入賞装置（下）４９等の遊技部品が取り付けられており、最下位置にアウト口５４が配置されている。
【００２６】
図３には、パチンコ機１０を制御するための制御系の概略が示されている。制御系は、主制御基板１５０を中心として、払出制御基板１５２、音声制御基板１５４、ランプ制御基板１５６、発射制御基板１５８、図柄表示制御基板１６０等、機能毎に分類されている（なお、以下これらを総称する場合、副制御基板１５１という）。
【００２７】
なお、主制御基板１５０並びに副制御基板１５１は、管理制御基板２０６を介してパチンコ店側のホールコンピュータ２０８に接続することにより、パチンコ機の稼動状況を管理することも可能となっている。
【００２８】
主制御基板１５０には、遊技に関する基本的なプログラムが記憶されており、この主制御基板１５０からの命令信号に基づいて、その他の副制御基板１５１が独自に実行する。
【００２９】
払出制御基板１５２は、払出賞球装置１６２を制御して、球貸し時の払出し、入賞時の賞球に応じてパチンコ球を払い出すものであり、音声制御基板１５４は、パチンコ機１０に設けられたスピーカ６４、６６からの効果音等の出力を制御する。また、ランプ制御基板１５６は、パチンコ機１０に取り付けられた複数の表示灯６２、６３の点灯・消灯を制御し、発射制御基板１５８は、発射装置１６４を制御して、遊技者によるハンドル３０（図１参照）の操作に応じてパチンコ球を打ち出す。
【００３０】
図柄表示制御基板１６０は、前記特別図柄表示装置４３と接続されており、主制御基板１５０からの命令信号に基づいて、所定の演出効果をもたらす図柄変動パターン演出表示（第１の図柄変動パターン）を実行する。
【００３１】
前記主制御基板１５０には、始動口４６に設けられた始動入賞センサ１６８、入賞口（上）４８、入賞装置（下）４９に入賞したパチンコ球を検出する入賞センサ１７１、１７２、並びに大入賞口４４に入賞したパチンコ球を検出する大入賞口センサ１７３が接続されている。なお、大入賞口４４には、大入賞口の開閉動作を継続するためのＶゾーンが設けられており、このＶゾーンにもＶゾーンセンサ１７７が設けられており、主制御基板１５０に接続されている。
【００３２】
また、この主制御基板１５０には、始動口４６に設けられた電動チューリップ４７を開閉させるためのソレノイド１７４、大入賞口４４を開閉させるためのソレノイド１７５が接続されている。
【００３３】
また、主制御基板１５０では、特別図柄や普通図柄の当／外抽選がなされ、この抽選結果に基づく特別図柄表示装置４３での表示内容を選択し、図柄表示制御基板１６０へ命令信号を出力する。すなわち、図柄表示制御基板１６０には、複数種の命令信号に基づく異なる表示内容のデータが予め記憶されており、命令信号に基づいてデータが選択されて、起動するようになっている。
【００３４】
また、この図柄表示制御基板１６０には、４個分の保留があることをそれぞれ報知するための４個の保留情報表示装置１００Ａ乃至１００Ｄが接続されている。以下、総称する場合は、保留情報表示装置１００という。
【００３５】
なお、本実施の形態では、この保留情報表示装置１００は、前記特別図柄表示装置４３とは別体としたが、同一の表示画面の領域分けしてもよい。
【００３６】
図２に示される如く、この保留情報表示装置１００は、センター役物４２の特別図柄表示装置４３の上部に横一列に配列されている。この保留情報表示装置１００では、それぞれの第２の図柄変動パターン演出（以下、保留報知用図柄変動パターン演出という）が可能となっており、停止中は保留無しを示し、保留報知用図柄変動パターン演出が保留有りを示す。また、保留報知用図柄変動パターン演出の内容は、前記抽選の結果を予告する機能を持っており、リーチになる可能性、当りになる信頼度等を情報として報知することが可能となっている（当／外情報）。すなわち、本実施の形態の保留情報表示装置１００は、保留情報によって保留されていることを遊技者に認識させると共に当／外情報によって、抽選の結果を前もって報知（所謂ガセも含む）する。
【００３７】
また、横一列に配列された保留情報表示装置１００では、特別図柄表示装置４３での当／外報知用図柄変動パターン演出中に始動口４６に入賞した順に、図２に向かって左端から保留報知用図柄変動パターン演出が実行されるようになっており、所謂先入れ先出しの原則を守っている。このため、複数の保留がある状態で、保留が解消されると、図２に向かって左端の保留情報表示装置１００Ａに対応する当／外報知用図柄変動パターン演出が開始されると共に、残った保留分が１ステップずつ、図２の左にずれて保留報知用図柄変動パターン演出を継続する。すなわち、それぞれの保留報知用図柄変動パターン演出が、保留が解消されるまで、保留の順番を維持しながら、当該保留に対応する当／外情報を報知することが可能となっている。
【００３８】
図４には、図柄表示制御基板１６０における、前記保留情報表示装置１００の表示制御を中心とした制御ブロック図が示されている。
【００３９】
主制御基板１５０から送出される命令信号は、命令信号解析部１０２に入力されており、この命令信号解析部１０２によって命令信号の内容を解析する。
【００４０】
命令信号には、当／外判定信号（図柄変動パターンの選択、開始、終了を指示する信号を含む）、保留設定信号、保留解除信号等が含まれており、その内の保留設定信号及び当／外判定信号は、信頼度設定部１０４に送出されるようになっている。
【００４１】
信頼度設定部１０４では、保留することになる抽選結果に基づいて、信頼度を設定する。この信頼度は、必ずしも実際の当／外の判定に関連付けられたものではないが、当／外の判定結果をパラメータとして、所定の演算式を用いて信頼度を設定する。設定された信頼度を示す信頼度変動パターン特定信号は、信頼度変動パターン読出部１０６に送出され、この信頼度変動パターン読出部１０６では、信頼度変動パターンメモリ１０８から信頼度変動パターンを読み出す。
【００４２】
読み出された信頼度変動パターンは、信頼度変動パターン表示制御部１１０により、表示データ振分部１１２を介して、保留情報表示装置１００を構成する４個のドライバ１１４Ａ乃至１１４Ｄの１つへ選択的に送出される。各ドライバ１１４Ａ乃至１１４Ｄは、保留情報表示装置１００の表示画面であるＬＣＤ１１６Ａ乃至１１６Ｄを制御して、読み出された信頼度変動パターンを表示する。
【００４３】
なお、表示データ振分部１１２には、命令信号解析部１０２から保留解除信号が入力されるようになっており、この保留解除信号の入力によって、現在表示している保留情報表示装置１００での表示を１ステップ移行させるようにしている（図２において左側へ移行）。なお、新たな保留は表示状態（図柄変動パターン演出状態）の保留情報表示装置に続いて表示が開始されるようになっており、これにより、保留順が常に維持されることになる。
【００４４】
前記命令信号解析部１０２は、当／外判定信号を当／外変動パターン読出部１１８へ送出する。この当／外変動パターン読出部１１８では、当／外変動パターンメモリ１２０から所定の変動パターンを読み出す。
【００４５】
ここで、この当／外変動パターン読出部１１８には、前記信頼度設定部１０４から信頼変動パターン特定信号が入力されており、保留分の当／外変動パターンを実行する際に、保留中に行っていた図柄変動パターンとの関連付けが行われる。
【００４６】
例えば、保留分の図柄変動パターンにおいて最も高い信頼度の場合、保留情報表示装置１００において、リーチ演出がなされた場合、このリーチ演出に継続するような図柄変動パターンが読み出されるようになっている。
【００４７】
読み出された当／外変動パターンは、当／外報知変動パターン表示制御部１２２へ送出され、特別図柄表示装置４３を構成するドライバ１２４を介してＬＣＤ１２６に表示される。
【００４８】
以下に本実施の形態の作用を説明する。
【００４９】
（通常の遊技の流れ）
遊技者がハンドル３０を把持し、発射のための操作を行なうと、このハンドル操作量（回転量）に応じた強度で、パチンコ球が打ち出される。
【００５０】
パチンコ球が打ち出されると、外バンド３６及び内バンド３８に案内されて遊技領域４０の釘や風車等に当接しながら、予測し得ない移動をしながら落下していく。ここで、始動口４６にパチンコ球が入賞すると、乱数カウンタを用いて所定の確率下で大当り抽選が開始される。この大当り抽選の結果、当り／外れが決定すると、それぞれにおいて、予め準備された図柄変動パターン（図柄変動パターン）を選択し（乱数カウンタで選択してもよい）、特別図柄表示装置４３に図柄変動パターン演出を表示する。この図柄変動パターンにおいては、リーチを経由した当り、外れリーチ、リーチを経由しない外れ等、様々な演出があり、遊技者は期待感をもって抽選結果を待つことができる。
【００５１】
すなわち、当り時の図柄変動制御が終了すると、予め設定したラウンド数（例えば、１５ラウンド）の大当たり処理が実行される。この大当たり処理中は、大入賞口４４がほとんど開放状態であるため、遊技者によって有利な状態とすることができる。所定ラウンドの大当たり処理が終了すると、通常の遊技に戻る。
【００５２】
ここで、前記特別図柄表示装置４３における図柄変動パターン演出の表示中に、始動口４６に入賞すると、この入賞における抽選結果の報知ができない。このため、この入賞事実を保留し、保留したことを遊技者に報知するための保留情報表示装置１００の１つを用い、図柄変動パターン演出を開始する。
【００５３】
これにより、遊技者は、視覚を通じて保留を認識することができる。なお、本実施の形態では、保留制限数が４個であるため、４個の保留情報表示装置１００が横一列（図２参照）に配列されており、左端から順番に保留を報知すると共に、保留が解除される毎に左隣の保留情報表示装置１００へ順次移行する。すなわち、例えば、保留情報表示装置１００Ｂで表示されていたものが、保留情報表示装置１００Ａへ移行し、保留情報表示装置１００Ｃで表示されていたものが、保留情報表示装置１００Ｂへ移行するといったシフトである。
【００５４】
図５には、特別図柄表示装置４３での図柄変動パターン演出中に保留がなされているときの、保留解除による遊技の流れの一例が示されている。
【００５５】
図５（Ａ）では、特別図柄表示装置４３での図柄変動パターン演出中に４個の保留情報表示装置１００が図柄変動パターン演出中であり、この状態で図５（Ｂ）に示される如く、特別図柄表示装置４３による図柄変動パターン演出が終了（外れ確定）すると、左端の保留情報表示装置１００Ａに対応する保留分の当／外の抽選結果の報知するべく、直ちに特別図柄表示装置４３での図柄変動パターン演出が開始される。このとき、対応する保留情報表示装置１００Ａの図柄変動パターンが全て変動中であり、信頼度としては低くなっている。
【００５６】
従って、図５（Ｃ）に示される如く、特別図柄表示装置４３では、外れ報知となる。
【００５７】
ここで、図５（Ｂ）及び図（Ｃ）にに示される如く、順番待ちの保留情報表示装置１００の１つ（図５（Ｃ）では左から２番目の保留情報表示装置１００Ｂ）がリーチ状態となり、最終的には、図５（Ｄ）に示される如く、左端の保留情報表示装置１００Ａで全体リーチ状態（全図柄が同一で低速変動）で変動されており、信頼度が最も高い状態での待ちとなっている。
【００５８】
この状態で、特別図柄表示装置４３での当／外の報知の順番になると、この全体リーチ状態のまま移行し（図５（Ｅ）参照）、結果的に当りとなる（図５（Ｆ）参照）。
【００５９】
すなわち、保留情報表示装置１００での図柄変動パターン演出が、本来の当／外報知のための図柄変動パターンにリンクしており、遊技者は期待感を持って保留情報表示装置１００を見ることになる。
【００６０】
なお、保留情報表示装置１００での図柄変動パターンはあくまでも信頼度であるため、図５（Ｅ）の状態から外れになる可能性もあり得る。
【００６１】
このように、保留分を単純にランプの点灯で遊技者に知らせていた従来の機能に加え、それぞれの保留分の抽選結果の当りの信頼度を図柄変動パターン演出によって行うため、比較的大きな設置スペースを必要としていた保留報知領域での情報量を増やし、有効利用することができる。
【００６２】
また、増やした情報量が当／外の信頼度であるため、遊技者のこの信頼度を注意深く見ることになり、期待感を増し、遊技の趣向性を向上することができる。
【００６３】
なお、上記では、保留情報表示装置１００での図柄変動パターン演出と、特別図柄表示装置４３での図柄変動パターン演出に用いる図柄を同一としたが、異なる図柄を用いてもよい。例えば、保留情報表示装置１００での図柄を、誰もが同様の優劣を付け得ることができる、晴れマーク、曇りマーク、雨マーク等を用いてもよい。すなわち、この場合、晴れマークが最も信頼度が高く、雨マークが最も信頼度が低いことが感覚として認識される。また、表１に示される如く、予め優劣を付けた色（保留情報表示装置１００の背景色）によって信頼度を報知するようにしてもよい。この場合、変動パターン演出は、当／外の信頼度に関係のない演出であってもよい。
【００６４】
【表１】
2004154305.tif 000003
【００６５】
【発明の効果】
以上説明した如く本発明では、比較的占有面積の大きい、保留情報表示領域に対して、情報量を増大し、かつ保留表示領域を有効利用することができるという優れた効果を有する。
【図面の簡単な説明】
【図１】本実施の形態に係るパチンコ遊技機の正面図である。
【図２】本実施の形態に係る遊技盤の正面図である。
【図３】本実施の形態に係るパチンコ機の制御系の概略を示すブロック図である。
【図４】図柄表示制御基板における、保留情報表示装置の表示制御を中心とした制御ブロック図である。
【図５】保留情報を報知しながら、徐々に保留が解消されていくときの表示状態の流れを説明する特別図柄表示装置及び保留情報表示装置の正面図である。
【符号の説明】
１０    パチンコ機（遊技機）
３２    遊技盤
４０    遊技領域
４２    センター役物
４３    特別図柄表示装置（図柄変動表示装置）
４６    始動口
１００    保留情報表示装置（保留情報認識手段）
１０２    命令信号解析部
１０４    信頼度設定部
１０６    信頼度変動パターン読出部
１０８    信頼度変動パターンメモリ
１１０    信頼度変動パターン表示制御部
１１２    表示データ振分部（保留情報認識手段）
１５０    主制御基板（保留手段）
１６０    図柄表示制御基板
【図１】
2004154305.tif 000004
【図２】
2004154305.tif 000005
【図３】
2004154305.tif 000006
【図４】
2004154305.tif 000007
【図５】
2004154305.tif 000008